(57)【要約】【課題】粘度の低いペースト状の印刷剤を用いて印刷する場合において、スクリーンマスクのクリーニングを機械によって自動的に行うようにする。【解決手段】粘着テープ２と、粘着テープ巻き取り体３と、粘着テープ送出体７と、これら粘着テープ巻き取り体３と粘着テープ送出体７との間に配設する粘着テープ押し当て台８とをもってクリーニングユニット１を構成する。粘着テープ２は粘着面を上側にして巻き取る。また、粘着テープ２を巻き取るときは、クリーニングユニット１の移動方向と逆方向に、且つクリーニングユニットの移動速度に合わせて所定の速度で巻き取る。そしてクリーニングユニット１は始端位置において上昇して終端位置まで水平に移動し、終端位置において降下して始端位置まで戻るようにする。【選択図】　　　　図５
2004082457.tif 000002
【特許請求の範囲】
【請求項１】
粘着面を上側にしてスクリーンマスクの下面に接触させる粘着テープと、回転駆動源をもって所定の速度で回転せしめられ、前記粘着テープをクリーニングユニットの移動方向と逆方向に、且つ該クリーニングユニットの移動速度に合わせて所定の速度で巻き取る粘着テープ巻き取り体と、ロール状の粘着テープを保持し、前記粘着テープ巻き取り体に粘着テープを送り出す粘着テープ送出体と、前記粘着テープ巻き取り体と粘着テープ送出体との間に配設され、粘着テープの下面に摺接して該粘着テープをスクリーンマスクの下面に押し当てる粘着テープ押し当て台とをもってクリーニングユニットを構成し、該クリーニングユニットを、クリーニングの始端位置において上昇して終端位置まで水平に移動し、終端位置において降下して始端位置まで戻るようになしたことを特徴とするスクリーンマスクのクリーニング装置。
【発明の詳細な説明】
【０００１】
【発明の属する技術分野】
本発明はスクリーンマスクのクリーニング装置に関し、更に詳細にはスクリーン印刷機において粘度の低いペースト状印刷剤を用いる場合に適したスクリーンマスクのクリーニング装置に係わる。
【０００２】
【従来の技術】
スクリーン印刷機においては、印刷すると、図６に示す如く、スクリーンマスク１００のスクリーン孔１０１の下縁からスクリーンマスク１００の下面にクリーム半田等の印刷剤１０２の一部が回り込んで残り易い。このため機械の稼働を止めて頻繁にスクリーンマスクのクリーニングを行わなければならない。
【０００３】
そしてまた、このクリーニングは、一々スクリーンマスクを取り外して行わなければならず、且つ手作業であるから、手間と時間がかかり過ぎる。
【０００４】
また一方、印刷剤が粘度の低いペースト状のものであれば強く擦らなくとも軽く当てて拭くだけでこれを完全に除去することが可能である。
【０００５】
そしてまた、種々の実験の結果、粘度の低いペースト状の印刷剤を軽く接触するだけで払拭するに充分な作用をなし、而も機械によって自動的にクリーニングをする場合に好適な材料として粘着テープを用いることが望ましいことを知見した。
【０００６】
【発明が解決しようとする課題】
本発明は上記の点に鑑み、そして種々の実験の結果なし得たものであって、粘度の低いペースト状印刷剤を用いて印刷する場合において、スクリーンマスクのクリーニングを機械によって自動化することによって上記の問題点を悉く解消することができるようになしたクリーニング装置を提供せんとするものである。
【０００７】
【課題を解決するための手段】
而して、本発明の要旨とするところは、粘着面を上側にしてスクリーンマスクの下面に接触させる粘着テープと、回転駆動源をもって所定の速度で回転せしめられ、前記粘着テープをクリーニングユニットの移動方向と逆方向に、且つ該クリーニングユニットの移動速度に合わせて所定の速度で巻き取る粘着テープ巻き取り体と、ロール状の粘着テープを保持し、前記粘着テープ巻き取り体に粘着テープを送り出す粘着テープ送出体と、前記粘着テープ巻き取り体と粘着テープ送出体との間に配設され、粘着テープの下面に摺接して該粘着テープをスクリーンマスクの下面に押し当てる粘着テープ押し当て台とをもってクリーニングユニットを構成し、該クリーニングユニットを、クリーニングの始端位置において上昇して終端位置まで水平に移動し、終端位置において降下して始端位置まで戻るようになしたことを特徴とするスクリーンマスクのクリーニング装置にある。
【０００８】
【発明の実施の形態】
以下、本発明の実施の形態について図面を参照しつつ説明する。
図１は本発明の要部の正面図、図２は拡大して示した同右側面図、図３は拡大して示した同左側面図、図４は同平面図、図５は作用説明図である。
【０００９】
図中、１はクリーニングユニットであり、以下の粘着テープ、粘着テープ巻き取り体、粘着テープ送出体、粘着テープ押し当て台とをもって構成されている。２は粘着面を上側にしてスクリーンマスクの下面に接触させる粘着テープである。
【００１０】
３は粘着テープ巻き取り体である。また、該粘着テープ巻き取り体３は、回転駆動源をもって所定の速度で回転せしめられ、前記粘着テープ２をクリーニングユニット１の移動方向と逆方向に、且つクリーニングユニット１の移動速度に合わせて所定の速度で巻き取るものである。また、４は回転駆動源としてのモータであり、その回転軸４ａに固着した歯車５を、粘着テープ巻き取り体３の軸３ａに固着した歯車６に噛合せしめている。
【００１１】
７は粘着テープ送出体であり、ロール状の粘着テープ２を保持し、前記粘着テープ巻き取り体３に粘着テープ２を送り出すものである。
【００１２】
８は粘着テープ押し当て台である。また、該粘着テープ押し当て台８は、前記粘着テープ巻き取り体３と粘着テープ送出体７との間に配設され、粘着テープ２の下面に摺接して該粘着テープ２をスクリーンマスクの下面に押し当てるものである。
【００１３】
９は前記クリーニングユニット１を構成する各部材の支持枠であり、１０は該支持枠９を保持してこれに適宜のタイミングで昇降と水平移動を行わせる移動機構である。尚、移動機構の詳細は省略している。また、その他図中１１はスクリーンマスクを示す。
【００１４】
次に、上記実施形態の作用について説明する。
スキージ（図示せず。）による印刷が行われる都度、或いは何回かの印刷が行われた後にクリーニングが行われるが、このクリーニングは、図５において始端Ａと終端Ｂとの間において行われる。そして、クリーニングユニット１は始端位置Ａにおいて上昇し、終端位置Ｂまで水平に移動する。この水平移動の際には、粘着テープ巻き取り体３によって、粘着テープ２をクリーニングユニット１の移動方向と逆方向に、且つ該クリーニングユニット１の移動速度に合わせて所定の速度で巻き取る。これにより粘着テープ２の粘着面はスクリーンマスク１１の下面に擦れることなく接触し、その粘着面によってスクリーンマスク１１の下面に残っている印刷剤を付着させて除去するものである。そしてクリーニングユニット１は終端位置Ｂにおいて降下し、始端位置Ａまで戻るものである。以上の操作は１回のみで終了してもよく、或いはまた数回繰り返して行ってもよい。
【００１５】
【発明の効果】
本発明は上記の如き構成、作用であるから、粘度の低いペースト状の印刷剤を用いて印刷する場合において、スクリーンマスクのクリーニングを機械によって自動的に行うようにすることができるものである。よって、従来の手作業によって行う場合の問題点を悉く解消することができるものである。また、粘着テープの粘着面はスクリーンマスクの下面に擦れることなく接触し、その粘着面によってスクリーンマスクの下面に残っている印刷剤を付着させて除去するものであるから、擦ることによって起こり得る、印刷剤のスクリーンマスクにおけるスクリーン孔内への押し戻しを防ぐことができるものである。
【図面の簡単な説明】
【図１】本発明の要部の正面図である。
【図２】本発明の要部の拡大して示した右側面図である。
【図３】本発明の要部の拡大して示した左側面図である。
【図４】本発明の要部の平面図である。
【図５】本発明の作用説明図である。
【図６】印刷後のスクリーンマスクの下面に印刷剤が残る状態の説明図である。
【符号の説明】
１　クリーニングユニット
２　粘着テープ
３　粘着テープ巻き取り体
４　モータ
５、６　歯車
７　粘着テープ送出体
８　粘着テープ押し当て台
９　支持枠
１０　移動機構
【図１】
2004082457.tif 000003
【図２】
2004082457.tif 000004
【図３】
2004082457.tif 000005
【図４】
2004082457.tif 000006
【図５】
2004082457.tif 000007
【図６】
2004082457.tif 000008